(57)【要約】【課題】商品展示台を小型化しても商品展示台等の取付作業を容易にし、かつ、部品点数の増大も抑制可能な自動販売機を提供すること。【解決手段】商品展示部２２は、複数のサンプル商品の陳列方向Ｘに延在するレール部３１と、レール部３１に挿入されて陳列方向Ｘに沿って並び、サンプル商品をそれぞれ保持可能な複数の商品展示台３２とを有している。【選択図】図２
2020135277.tif 000002
【特許請求の範囲】
【請求項１】
商品を収容する筐体と、
前記筐体の前面を覆う扉体と、
前記扉体に設けられ、前記商品に対応する複数のサンプル商品を展示可能な商品展示部とを備え、
前記商品展示部は、前記複数のサンプル商品の陳列方向に延在するレール部と、前記レール部に挿入されて前記陳列方向に沿って並び、前記サンプル商品をそれぞれ保持可能な複数の商品展示台と
を有することを特徴とする自動販売機。
【請求項２】
前記レール部は、上部と下部とが前方に屈曲した形状を有していることを特徴とする請求項１に記載の自動販売機。
【請求項３】
前記レール部の上部は、前下方に向けて屈曲し、
前記レール部の下部は、前上方に向けて屈曲し、
前記上部と前記下部との間に前記商品展示台の一部が挟持されることを特徴とすることを特徴とする請求項２に記載の自動販売機。
【請求項４】
前記レール部には、当該レール部の奥側に挿入される前記商品展示台の奥側への移動、及び／又は、当該レール部の最も手前に挿入される前記商品展示台の手前側への移動を規制する移動規制部が設けられることを特徴とする請求項１又は２に記載の自動販売機。
【請求項５】
隣り合う前記商品展示台が互いに嵌合する嵌合構造を有していることを特徴とする請求項１から４のいずれかに記載の自動販売機。
【請求項６】
前記商品展示台のそれぞれは、前記サンプル商品の陳列に要する幅を、２以上の整数ｎで分割した長さに形成されていることを特徴とする請求項１から５のいずれかに記載の自動販売機。
【請求項７】
前記商品展示台は、１又は２個の前記サンプル商品を保持する台であることを特徴とする請求項１から６のいずれかに記載の自動販売機。
【請求項８】
前記商品展示台は、透明材料で形成されていることを特徴とする請求項１から７のいずれかに記載の自動販売機。
【請求項９】
前記複数の商品展示台のいずれかは着色されていることを特徴とする請求項１から８のいずれかに記載の自動販売機。
【発明の詳細な説明】
【技術分野】
【０００１】
本発明は、自動販売機のサンプル商品の展示構造に関するものである。
【背景技術】
【０００２】
自動販売機には、ディスプレイ室の左右方向にｎ分割（ｎ≧２以上の整数）されたプラスチックの成形品になる商品載置台と、分割された各商品載置台を保持する左右一対のブラケットと、を備えた構成が開示されている（例えば、特許文献１参照）。特許文献１では、例えば、ディスプレイ室の左右方向に２分割された商品載置台を用いることで、一種類のディスプレイ台により横幅の異なる複数機種の自動販売機および異なる種類の商品見本（立体状商品見本、シート状商品見本）に対応可能であることが記載されている。
【先行技術文献】
【特許文献】
【０００３】
【特許文献１】特開２０１４−０７１８７５号公報
【発明の概要】
【発明が解決しようとする課題】
【０００４】
ところで、発明者等は、商品載置台といった商品が展示される台（以下、商品展示台と言う）を小型化するほど、この商品展示台の製造に必要な金型等のコストを抑制でき、かつ、商品展示台の設計、及び、製品を製造又は販売するメーカへの設計変更がし易くなることに着目した。
しかし、同じサイズの自動販売機で商品展示台を例えば半分のサイズにすると、商品展示台の数が二倍となる。従来の構成では、商品展示台の数に応じてブラケットの数も増えるので、ブラケットが増えた分、取付作業がより煩雑化すると共に部品点数がより増加してしまう。
【０００５】
本発明は前記した点に鑑みてなされたものであり、商品展示台を小型化しても商品展示台等の取付作業を容易にし、かつ、部品点数の増大も抑制可能な自動販売機を提供することを目的とする。
【課題を解決するための手段】
【０００６】
前記目的を達成するため本発明の自動販売機は、商品を収容する筐体と、前記筐体の前面を覆う扉体と、前記扉体に設けられ、前記商品に対応する複数のサンプル商品を展示可能な商品展示部とを備え、前記商品展示部は、前記複数のサンプル商品の陳列方向に延在するレール部と、前記レール部に挿入されて前記陳列方向に沿って並び、前記サンプル商品をそれぞれ保持可能な複数の商品展示台（商品載置台）とを有することを特徴とする。
【発明の効果】
【０００７】
本発明の自動販売機は、商品展示台を小型化しても商品展示台等の取付作業を容易にし、かつ、部品点数の増大も抑制可能になる。
【図面の簡単な説明】
【０００８】
【図１】本発明の実施形態に係る自動販売機の正面図
【図２】商品展示部を自動販売機の壁体と共に示す斜視図
【図３】レール部と商品展示台とを側方から見た図
【図４】レール部の両端部を商品展示台と共に示す図
【図５】光源の配置例を示す図
【図６】商品展示台の使用数が３個の場合を示す斜視図
【発明を実施するための形態】
【０００９】
第１の発明は、商品を収容する筐体と、前記筐体の前面を覆う扉体と、前記扉体に設けられ、前記商品に対応する複数のサンプル商品を展示可能な商品展示部とを備え、前記商品展示部は、前記複数のサンプル商品の陳列方向に延在するレール部と、前記レール部に挿入されて前記陳列方向に沿って並び、前記サンプル商品をそれぞれ保持可能な複数の商品展示台とを有している。
この構成によれば、商品展示部を陳列方向にｎ分割（ｎ≧２以上の整数）した場合でも、商品展示部を保持するレール部の数は増加しないので、部品点数の増大を抑制できるとともに、商品展示台の取付作業が煩雑とならない。
【００１０】
第２の発明は、前記レール部の上部と下部とを前方に屈曲した形状にすることにより、レール部を簡易に製作できる。
第３の発明は、前記レール部の上部を前下方に向けて屈曲し、前記レール部の下部を前上方に向けて屈曲し、前記上部と前記下部との間に前記商品展示台の一部を挟持することにより、レール部の強度を向上させ、かつ、レール部に商品展示台を保持させ易くなる。
【００１１】
第４の発明は、前記レール部に、当該レール部の奥側に挿入される前記商品展示台の奥側への移動、及び／又は、当該レール部の最も手前に挿入される前記商品展示台の手前側への移動を規制する移動規制部を設けることにより、レール部によって商品展示台の陳列方向へのずれを規制できる。
【００１２】
第５の発明は、隣り合う前記商品展示台が互いに嵌合する嵌合構造を有することにより、隣り合う商品展示台間のずれを規制できる。
第６の発明は、前記商品展示台のそれぞれを、前記サンプル商品の陳列に要する幅を、２以上の整数ｎで分割した長さに形成して組み合わせることにより、この商品展示台を幅が異なる自動販売機で共用できる。
【００１３】
第７の発明は、前記商品展示台を、１又は２個の前記サンプル商品を保持する台にすることにより、商品展示台の小型化と、幅が異なる自動販売機への対応とを十分に図り易くなる。
【００１４】
第８の発明は、前記商品展示台を透明材料で形成することにより、サンプル商品への照明光を商品展示台が遮らないようにすることができる。
第９の発明は、前記複数の商品展示台のいずれかを着色することにより、商品展示台の識別がし易くなる。
【００１５】
本発明の実施の形態について、図面を参照しながら説明する。なお、本実施の形態によって本発明が限定されるものではない。
図１は、本発明の実施形態に係る自動販売機の正面図である。
自動販売機１は、商品を収容する筐体１０と、筐体１０の前面を開閉自在に覆う扉体１１と、扉体１１に設けられ、筐体１０内の商品を示す複数のサンプル商品２１を展示可能な商品展示部２２とを備えている。図１では、サンプル商品２１を二点鎖線で示し、サンプル商品２１の陳列方向（並び方向とも称する）を符号Ｘで示している。本実施形態において、自動販売機１の商品は、缶入り飲料、又はペットボトル飲料であり、サンプル商品２１は、商品と同形状のサンプルである。但し、商品の種類、及び、サンプル商品２１の形態等は適宜に変更してもよい。
【００１６】
扉体１１は、一部が透明板１２Ａで構成された前面パネル１２と、透明板１２Ａの後方に隙間を空けて配置された壁体１３とを備えており、この透明板１２Ａと壁体１３との間の隙間が商品展示部２２のスペースとなっている。商品展示部２２は、サンプル商品２１を展示可能な展示構造（後述するレール部３１、商品展示台３２）を有し、この展示構造によって、サンプル商品２１は、左右方向に一列に並び、かつ、上下に間隔を空けて計３列配置される。
【００１７】
同図１に示すように、前面パネル１２には、各サンプル商品２１が示す商品を選択するための複数の選択ボタン１５、商品を購入する際に金銭を投入する投入部１６、購入した商品を取り出す商品供給口１７、及び扉体１１を開閉するための開閉レバー１８等が設けられている。なお、商品展示部２２を除く各構成は、公知の自動販売機の構成を広く適用可能である。
【００１８】
図２は、商品展示部２２を自動販売機１の壁体１３と共に示す斜視図である。説明の便宜上、図２では、商品展示部２２の一部の構成を分解斜視図で示している。
商品展示部２２は、サンプル商品２１の陳列方向Ｘに延在するレール部３１と、レール部３１に挿入されて陳列方向Ｘに沿って並ぶ複数の商品展示台３２とを備えている。商品展示台３２のそれぞれは、サンプル商品２１の陳列に要する幅（自動販売機１の幅に相当し、より具体的には、透明板１２Ａの幅に相当）を、２以上の整数Ｎ（図２では値５）で分割した長さに形成されている。各レール部３１には、ｎ個の商品展示台３２が取り付けられる。
【００１９】
なお、壁体１３を含む扉体１１は、図２に示すヒンジ部１１Ｈを介して開閉する。このため、レール部３１におけるヒンジ部１１Ｈ側は相対的に狭い空き空間となり、商品展示台３２をレール部３１に挿入する作業がし難い。したがって、商品展示台３２をレール部３１に挿入する作業は、レール部３１におけるヒンジ部１１Ｈの反対側から行われる。
【００２０】
図３は、レール部３１と商品展示台３２とを側方から見た図であり、符号Ａは商品展示台３２の取付前の状態を示し、符号Ｂは商品展示台３２の取付後の状態を示している。
図３に示すように、レール部３１は、側面視で上部３１Ｕと下部３１Ｄとが前方に屈曲することにより前方が開口したコ字断面（門型断面とも称する）に形成され、陳列方向Ｘ（図２参照）に延在する。
このレール部３１は、自動販売機１の壁体１３に固定される固定板部３１Ｍを有している。この固定板部３１Ｍ（図３）は、陳列方向Ｘに延在する平板形状に形成され、所定の取付部材３１Ｋ（例えばボルト又はピン部材）を用いて自動販売機１の壁体１３に固定される。なお、固定板部３１Ｍを接着等の接合方法で壁体１３に固定してもよく、固定方法は適宜に変更してもよい。
【００２１】
上部３１Ｕは、この固定板部３１Ｍの上縁から前下方に屈曲し、下部３１Ｄは、この固定板部３１Ｍの下縁から前上方に屈曲する。つまり、上部３１Ｕと固定板部３１Ｍとの間の角度、及び、下部３１Ｄと固定板部３１Ｍとの間の角度は、それぞれ９０°未満の角度（鋭角に相当）とされる。
鋭角にすることにより、簡易な形状でレール部３１の強度を向上できる。本実施形態のレール部３１は、金属板を折り曲げて形成される。但し、レール部３１を金属板以外の折り曲げ自在な板材で形成してもよいし、樹脂材等の金属材以外の材料で形成してもよい。
【００２２】
図３に示すように、商品展示台３２は、レール部３１の上部３１Ｕと下部３１Ｄとの間に、レール部３１の長手方向端部から挿入可能な基端部３２Ａと、基端部３２Ａから前方に延びる台座部３２Ｂとを有している。
図３の符号Ｂに示すように、基端部３２Ａは、上部３１Ｕと下部３１Ｄとの間に挟持され、レール部３１に沿ってスライド自在に保持される。より具体的には、基端部３２Ａの上面は、前下方に傾斜する傾斜面３２Ｕに形成され、基端部３２Ａの下面は、前上方に傾斜する傾斜面３２Ｄに形成される。これら傾斜面３２Ｕ、３２Ｄは、図３の符号Ｂに示すように、レール部３１の上部３１Ｕと下部３１Ｄとにそれぞれ当接する。これにより、レール部３１の上部３１Ｕと下部３１Ｄとによって、基端部３２Ａがレール部３１が延びる方向に円滑に移動自在に案内されると共に、基端部３２Ａのレール部３１前方への脱落が防止される。
【００２３】
台座部３２Ｂは、サンプル商品２１を取り付けるための商品取付部３２Ｃ（図２参照）を設ける部分であり、本実施形態では、２個のサンプル商品２１を取付可能に２つの商品取付部３２Ｃを一体に設けた板状部材に形成されている。
本実施形態の商品取付部３２Ｃは、サンプル商品２１の下部が係合可能な孔形状に形成されている。この商品取付部３２Ｃの形状は、サンプル商品２１の形状に応じて異なり、例えば、サンプル商品２１そのもののサイズ、又は、サンプル商品２１を提供する供給者（例えば商品を製造又は販売するメーカ）が定めた係合構造等によって異なる。
【００２４】
この台座部３２Ｂは前上がりに形成され、換言すると、台座部３２Ｂと壁体１３との成す角度は９０度以上とされ、サンプル商品２１をやや後傾させた姿勢で保持可能である。なお、前上がりに形成する構成に限定されず、台座部３２Ｂを水平の台に形成してもよい。
自動販売機１に使用される複数の商品展示台３２は、商品取付部３２Ｃを除いて同一部品である。商品取付部３２Ｃは、商品展示部２２に展示するサンプル商品２１に合わせて選定すればよく、全てのサンプル商品２１に対応する商品取付部３２Ｃが同じ場合、全ての商品展示台３２が同一部品で済む。
【００２５】
図４は、レール部３１の両端部を商品展示台３２と共に示す図である。図４の符号Ａは商品展示台３２を挿入する際の奥側（図２に示すヒンジ部１１Ｈ側）を示し、符号Ｂは商品展示台３２を挿入する際の手前側（ヒンジ部１１Ｈの反対側側）を示している。
図４の符号Ａに示すように、レール部３１の最も奥側には、レール部３１に挿入された商品展示台３２に当接して商品展示台３２の奥側への移動を規制する移動規制部３１Ｐが設けられている。この移動規制部３１Ｐは、固定板部３１Ｍの端部を前方に向けて折り曲げることによって形成される。この移動規制部３１Ｐは、商品展示台３２をレール部３１に挿入する前に形成してもよいし、レール部３１に挿入した後に、折り曲げ前の移動規制部３１Ｐを折り曲げて形成してもよい。
【００２６】
図４の符号Ｂに示すように、レール部３１の最も手前には、レール部３１に挿入された商品展示台３２に当接して商品展示台３２の手前側への移動を規制する移動規制部３１Ｑが設けられている。この移動規制部３１Ｑは、例えば、全ての商品展示台３２をレール部３１に挿入した後に、折り曲げ前の移動規制部３１Ｑを折り曲げて形成される。
図４に示すように、商品展示台３２の台座部３２Ｂは、陳列方向Ｘの一方側に隣接する台座部３２Ｂに向けて突出する凸部３２Ｔが設けられると共に、陳列方向Ｘの一方側に隣接する台座部３２Ｂが有する凸部３２Ｔが嵌まる凹部３２Ｖが設けられている。これら凸部３２Ｔ及び凹部３２Ｖによって、隣り合う商品展示台３２が互いに嵌合する嵌合構造が形成されている。この嵌合構造により、隣り合う商品展示台３２同士を正確に位置決めできる。
【００２７】
商品展示台３２は透明樹脂を用いた一体成形により形成されている。なお、透明樹脂に限定されず、樹脂以外の透明材料で形成してもよい。これにより、別途配置した光源の光が商品展示台３２を透過し、サンプル商品２１を効率良く照明できる。
図５は、光源の配置例を示す図である。
図５に示す配置例では、前面パネル１２の背面を左右に架橋する架橋部材５１を介して、商品展示台３２の下方に、上記光源として機能するＬＥＤ光源５２が配置される。架橋部材５１は、選択ボタン１５を有するスイッチユニット５３を支持すると共に、商品展示台３２の前方に、冷却・加温表示板５４を支持している。なお、ＬＥＤ光源５２の位置は、適宜に変更してもよいし、ＬＥＤ光源５２以外の光源を使用してもよい。
【００２８】
以上説明したように、本実施形態の商品展示部２２は、複数のサンプル商品２１の陳列方向Ｘに延在するレール部３１と、レール部３１に挿入されて陳列方向Ｘに沿って並び、サンプル商品２１をそれぞれ保持可能な複数の商品展示台３２とを有している。この構成によれば、陳列方向Ｘに並ぶ全てのサンプル商品２１を一台の商品展示台に展示する場合と比べ、商品展示台３２を小型化でき、商品展示台３２の製造容易化、及び、製品を製造又は販売するメーカへの設計変更の容易化が可能となる。しかも、商品展示台３２の数が増加しても、各商品展示台３２を保持するレール部３１の数は増加しないので、商品展示台毎にブラケットを用いる従来の構成と比べ、部品点数の増大を抑制できるとともに、商品展示台３２の取付作業が煩雑とならない。
【００２９】
レール部３１は、上部３１Ｕと下部３１Ｄとが前方に屈曲した形状を有しているので、レール部３１を簡易に製作できる。例えば、このレール部３１を、金属板を常温で塑性加工するいわゆる板金によって製作可能である。
また、レール部３１の上部３１Ｕは前下方に向けて屈曲し、レール部３１の下部３１Ｄは前上方に向けて屈曲し、上部３１Ｕと下部３１Ｄとの間に商品展示台３２の一部である基端部３２Ａが挟持される。この構成によれば、レール部３１の強度を向上させ、かつ、レール部３１に商品展示台３２を保持させ易くなる。
【００３０】
また、レール部３１には、このレール部３１の奥側に挿入される商品展示台３２の奥側への移動、及び、このレール部３１の最も手前に挿入される商品展示台３２の手前側への移動を規制する移動規制部３１Ｐ、３１Ｑが設けられる。この構成によれば、レール部３１によって商品展示台３２の陳列方向Ｘへのずれを規制できる。なお、移動規制部３１Ｐ及び３１Ｑのいずれか一方、或いは、両方をレール部３１とは別部品で設けるようにしてもよい。
【００３１】
また、隣り合う商品展示台３２が互いに嵌合する嵌合構造（図４等に示す凸部３２Ｔ及び凹部３２Ｖを参照）を有しているので、隣り合う商品展示台３２間のずれを規制できる。
また、商品展示台３２のそれぞれは、サンプル商品２１の陳列に要する幅を、２以上の整数ｎで分割した長さに形成されているので、図６に示すように、この商品展示台３２の使用数を３個にすることで、図１に示す自動販売機１よりも幅が狭い自動販売機の商品展示台に使用できる。つまり、この商品展示台３２を様々な幅の自動販売機で共用できる。
【００３２】
また、商品展示台３２は、２個のサンプル商品２１を保持する台であるので、商品展示台３２の小型化に伴うコスト低減と、幅が異なる様々な自動販売機への対応とを十分に図り易くなる。
商品展示台３２の製造に必要な金型等のコストを更に低減等する必要がある場合、１個のサンプル商品２１を保持する商品展示台３２にしてもよい。このように商品展示台３２を１又は２個のサンプル商品２１を保持する台にすれば、上記コスト低減と様々な自動販売機への対応とを効率良く図ることができる。なお、１又は２個のサンプル商品２１を保持する商品展示台３２に限定しなくてもよい。
【００３３】
また、商品展示台３２は透明材料で形成されているので、サンプル商品２１への照明光を商品展示台３２が遮らない。これにより、照明光の光源の配置自由度を高めると共に、適切な照明を実現し易くなる。
また、複数の商品展示台３２のいずれかを着色してもよい。着色することにより、商品展示台３２を視覚を利用して識別し易くなる。例えば、商品取付部３２Ｃの種類を容易に識別可能にしたり、冷却される商品のサンプル商品２１を展示するのか、加温される商品のサンプル商品２１を展示するのか、といったことを容易に識別可能にしたりすることができる。この場合の着色は、色又は模様が付いた透明色、及び、色又は模様が付いた非透明色のいずれでもよい。
【００３４】
以上、本発明の一実施形態について説明したが、本発明はこれに限定されるものではなく、種々の変更実施が可能である。
【産業上の利用可能性】
【００３５】
以上のように、本発明に係る自動販売機は、商品展示台を小型化しても商品展示台等の取付作業を容易にし、かつ、部品点数の増大も抑制可能なので、自動販売機に限らず、商品展示台を有する様々な装置の用途にも利用することができる。
【符号の説明】
【００３６】
１  自動販売機
１０  筐体
１１  扉体
２１  サンプル商品
２２  商品展示部
３１  レール部
３１Ｕ  レール部の上部
３１Ｄ  レール部の上部
３１Ｐ、３１Ｑ  移動規制部
３２  商品展示台
３２Ａ  基端部
３２Ｂ  台座部
３２Ｔ  凸部（嵌合構造）
３２Ｖ  凸部（嵌合構造）
５２  ＬＥＤ光源
【図１】
2020135277.tif 000003
【図２】
2020135277.tif 000004
【図３】
2020135277.tif 000005
【図４】
2020135277.tif 000006
【図５】
2020135277.tif 000007
【図６】
2020135277.tif 000008